(57)【要約】【課題】組み立て作業及びメンテナンス作業を簡略化出来、且つ、筐体表面に発生するヒケを低減出来る表示装置を提供する。【解決手段】シャーシ４１には内部構成部品が全て取り付けられている。具体的には、シャーシ４１の前面側（フロントキャビネット２が位置する側）には表示パネル４２を取り付け、前記シャーシ４１の背面側（バックキャビネット３が位置する側）には各種回路基板（電源基板４３、ＡＶ基板４４、ＭＰＥＧ基板４５）やスピーカ４６、記録再生ユニット４７を取り付ける。シャーシ４１の底面側にはスタンド支持部４９を取り付け、又、前記シャーシ４１の上面には操作基板４８を取り付ける。【選択図】図３
2007163861.tif 000002
【特許請求の範囲】
【請求項１】
前後方向に分割可能な筐体の前方部分を担うフロントキャビネットと後方部分を担うバックキャビネットの内部に、シャーシと内部構成部品を備えた表示装置において、前記内部構成部品は、全てシャーシに取り付けられていることを特徴とする表示装置。
【請求項２】
前記内部構成部品は表示パネルと回路基板であり、前記フロントキャビネットの略中央部には開口部が形成され、該開口部を介して前記表示パネルが露出していることを特徴とする請求項１に記載の表示装置。
【請求項３】
前記内部構成部品は表示パネルと電源基板とＡＶ基板とＭＰＥＧ基板とスピーカと記録再生ユニットと操作基板であり、前記フロントキャビネットの略中央部には開口部が形成され、該開口部を介して前記表示パネルが露出しているとともに、前記フロントキャビネットの表面に操作ボタンが一体成形されていることを特徴とする請求項１に記載の表示装置。
【請求項４】
前記フロントキャビネットと前記バックキャビネットとは直接締結されることを特徴とする請求項１乃至３の何れか１項に記載の表示装置。
【発明の詳細な説明】
【技術分野】
【０００１】
本発明は、表示装置に関し、詳しくは、前後方向に分割可能な装置の外観を担うフロントキャビネット及びバックキャビネットからなる筐体と、この筐体の内部に備えられて前記フロントキャビネットに形成する開口窓を介して外部より見える表示部と、この表示部の背面側に位置して同じくキャビネットの内部に組み付けるシャーシとを備えた、液晶ディスプレイやプラズマディスプレイ等の表示装置に関する。
【背景技術】
【０００２】
近年、テレビジョン放送やＤＶＤ、ビデオ等の映像、パソコンの画面を表示する表示装置として、液晶やプラズマを使用したものが開発され、販売されている。このような表示装置は、液晶やプラズマを使用した表示パネル、表示装置を支持する表示装置支持手段、これらを取り付けるシャーシ、各種回路基板、筐体を備えているが、従来、これら種々の部品を複雑に組み立てて製造されていた。例えば、各種回路基板は、シャーシや筐体等、様々な箇所に取り付けられていた。このため、組み立て作業が複雑になるという問題があった。
【０００３】
特許文献１は、内部構成部品を筐体で保持、固定することで、組み立て作業を簡略化する技術、及び筐体に構成部品の保持を行うリブを設けることで位置精度を良好に保つ技術を開示している。
【０００４】
【特許文献１】特開２００３−１６７２３５号公報
【発明の開示】
【発明が解決しようとする課題】
【０００５】
特許文献１に開示された技術を用いた場合、組み立て作業は簡略化されるが、修理や点検等のメンテナンスの際、筐体に内部構成部品が取り付けられているため、メンテナンス作業が複雑になるという問題があった。又、筐体に内部構成部品を取り付けるリブを形成するため、筐体を形成する金型が複雑になるという問題、及び筐体表面にヒケが多数発生するという問題があった。
【０００６】
本発明は、上述した問題点に鑑みてなされたものであり、組み立て作業及びメンテナンス作業を簡略化出来る表示装置を提供することを目的とする。又、筐体を成形する金型を簡略化出来、且つ筐体表面に発生するヒケを低減出来る表示装置を提供することを目的とする。
【課題を解決するための手段】
【０００７】
請求項１に記載の表示装置は、前後方向に分割可能な筐体の前方部分を担うフロントキャビネットと後方部分を担うバックキャビネットの内部に、シャーシと内部構成部品を備えた表示装置において、前記内部構成部品は、全てシャーシに取り付けられていることを特徴とする。
【０００８】
請求項２に記載の表示装置は、請求項１において、前記内部構成部品は表示パネルと回路基板であり、前記フロントキャビネットの略中央部には開口部が形成され、該開口部を介して前記表示パネルが露出していることを特徴とする。
【０００９】
請求項３に記載の表示装置は、請求項１において、前記内部構成部品は表示パネルと電源基板とＡＶ基板とＭＰＥＧ基板とスピーカと記録再生ユニットと操作基板であり、前記フロントキャビネットの略中央部には開口部が形成され、該開口部を介して前記表示パネルが露出しているとともに、前記フロントキャビネットの表面に操作ボタンが一体成形されていることを特徴とする。
【００１０】
請求項４に記載の表示装置は、請求項１乃至３の何れか１項において、前記フロントキャビネットと前記バックキャビネットとは直接締結されることを特徴とする。
【００１１】
本件発明によれば、シャーシに全ての内部構成部品を取り付けることで、組み立て作業及びメンテナンス作業を簡略化出来る表示装置を提供することが可能となる。又、筐体に内部構成部品を取り付けるリブを形成しないため、筐体を成形する金型を簡略化出来、且つ筐体表面に発生するヒケを低減出来る表示装置を提供することが可能となる。
【発明の効果】
【００１２】
本発明によれば、シャーシを基準に全ての内部構成部品を組み付けてユニット化し、筐体を担うフロントキャビネット及びバックキャビネットを取り付ける構造とすることによって、従来筐体とシャーシとにそれぞれ組み付けていた部品を全てシャーシにまとめて組み付けることが可能となることから、表示装置の製造時における作業工程を改善することが出来る。又、修理や点検等のメンテナンス時の作業においてもフロントキャビネットとバックキャビネットとを取り外すだけで簡単に行うことが可能となる。
【００１３】
又、本発明によれば、内部構成部品をユニット化することにより、フロントキャビネット及びバックキャビネットへの内部構成部品の取り付け用ボスや位置決め用リブなどを形成する必要がなくなることから、フロントキャビネット及びバックキャビネットの形状を簡略化することが出来、又、これらを成形する金型の簡素化も望まれることから、金型製造費用の安価が可能となる。さらに、フロントキャビネット及びバックキャビネットに形成するボスやリブが減少することでフロントキャビネット及びバックキャビネットの表面におけるヒケ等の見た目に関係する不具合が緩和される。
【００１４】
更に、本発明によれば、内部ユニット（シャーシを基準として内部構成部品を取り付けユニット化したもの）の前面側及び背面側より組み合わせるフロントキャビネットとバックキャビネットを直接ねじによって固定する構造とすることによって、各キャビネットをそれぞれ内部ユニットに対して取り付ける場合と比較してねじの本数を削減することが可能となり、部品点数の削減に伴う表示装置のコストダウンを実現することが出来る。
【発明を実施するための最良の形態】
【００１５】
本発明の実施の形態を、図面を参照して説明する。尚、以下の実施例は本発明の具体例に過ぎず、本発明が以下の実施形態に限定されるものではない。
【００１６】
図１は、表示装置１の外見形状を示す斜視図である。筐体は、前後方向に分割可能であり、フロントキャビネット２及びバックキャビネット３によって構成される。フロントキャビネット２の略中央部には開口窓が形成されており、この開口窓を介して表示パネル４２が露出している。図４は、内部ユニット４にフロントキャビネット２及びバックキャビネット３を取り付ける前の状態を示す分解斜視図である。フロントキャビネット２及びバックキャビネット３は、ねじ７によって直接締結される。図５（ａ）及び図５（ｂ）は、それぞれ、表示装置１の部分断面斜視図及び側面側断面図である。
【００１７】
図２は、表示装置１の内部構成部品を示す分解斜視図である。ここで、内部構成部品は、映像を表示する表示パネル４２、各種回路基板（外部電源からの入力電圧を表示装置１で使用する電圧に変換する電源基板４３、音声信号と映像信号の処理を行うＡＶ基板４４、ＭＰＥＧの符号化と復号化を行うＭＰＥＧ基板４５）、音声を出力するスピーカ４６、ＤＶＤの記録と再生を行う記録再生ユニット４７、ユーザが押圧操作する操作ボタン２２と連動してＯＮ／ＯＦＦを可能としたスイッチが配設された操作基板４８、スタンド支持部４９とスタンド５０から構成される表示装置１を支持する表示装置支持手段である。これらの内部構成部品は、全て、シャーシ４１に取り付けられる。フロントキャビネット２においては、略中央部に開口窓２１が形成され、上面には操作ボタン２２が設けられている。
【００１８】
図３は、シャーシ４１を基準として内部構成部品をユニット化した内部ユニット４を示す斜視図であり、シャーシ４１に内部構成部品が全て取り付けられている。具体的には、シャーシ４１の前面側（フロントキャビネット２が位置する側）には表示パネル４２を取り付け、前記シャーシ４１の背面側（バックキャビネット３が位置する側）には各種回路基板（電源基板４３、ＡＶ基板４４、ＭＰＥＧ基板４５）やスピーカ４６、記録再生ユニット４７を取り付ける。シャーシ４１の底面側にはスタンド支持部４９を取り付け、又、前記シャーシ４１の上面には操作基板４８を取り付ける。尚、本実施例においては操作基板４８をシャーシ４１の上面に取り付けた構造を示しているが、本発明はこれに限定するものではなく、操作ボタン２２を設ける位置に合わせてシャーシ４１に取り付ける。
【００１９】
以下、内部構成部品のシャーシ４１への取り付け手順の実施例について説明する。尚、本発明の実施例における表示装置１では記録再生ユニット４７を内蔵する表示装置１としているが、本発明はこれに限定するものではなく、該記録再生ユニット４７を内蔵しない表示装置１であっても良い。
【００２０】
先ず、表示パネル４２の表示面を下向きにした状態とし、該表示パネル４２の後方側（例えば、表示パネル４２の表示部側を作業台などの載置面側として置いた場合、載置した該表示パネル４２の上方側に該当する）よりシャーシ４１を設置し、該シャーシ４１の側面側よりねじ７を締結して該表示パネル４２と該シャーシ４１とを組み合わせる。
【００２１】
続いて、前記シャーシ４１の後方側に各種回路基板（電源基板４３、ＡＶ基板４４、ＭＰＥＧ基板４５）やスピーカ４６、記録再生ユニット４７をねじ７で固定する。
【００２２】
続いて、前記シャーシ４１の底面側に予めスタンド５０を取り付けたスタンド支持部４９をねじ７で固定する。
【００２３】
続いて、スタンド５０の底面側が載置面側となるように前記シャーシ４１を起立させ、該シャーシ４１の上面側にスイッチを配設した操作基板４８をねじ７で固定する。これで表示装置１の内部構成部品が該シャーシ４１を基準としてユニット化されることとなる（このユニット化されたものを内部ユニット４と称す）。
【００２４】
最後に、前記内部ユニット４の前方側（シャーシ４１の表示パネル４２が取り付けられている側）及び後方側（シャーシ４１の各種回路基板、スピーカ４６、記録再生ユニット４７が取り付けられている側）よりそれぞれフロントキャビネット２とバックキャビネット３とを組み合わせ、ねじ７で固定する。
【００２５】
尚、最後に内部ユニット４をフロントキャビネット２とバックキャビネット３で挟む以外は、シャーシ４１に取り付ける内部構成部品の取り付け手順が上記と異なっても良い（即ち、シャーシ４１に表示パネル４２を取り付ける前に各種回路基板やスタンド支持部４９等を取り付けても良く、筐体たるフロントキャビネット２及びバックキャビネット３の取り付けが最終であれば良い）。
【００２６】
また、内部ユニット４とフロントキャビネット２とバックキャビネット３を取り付ける際、フロントキャビネット２とバックキャビネット３とをねじ７によって直接締結するためのボス及び孔を形成する形状とするのが好ましい。即ち、フロントキャビネット２とバックキャビネット３とを直接締結することで、フロントキャビネット２とバックキャビネット３をそれぞれ内部ユニット４に締結固定する場合と比較して、締結するためのねじ７の本数を削減することが可能となる。尚、内部ユニット４のシャーシ４１にフロントキャビネット２に形成するボスが挿通可能な貫通孔を形成し、この貫通孔を介して前記内部ユニット４の後方側へと突出するフロントキャビネット２のボスとバックキャビネット３の孔とを合わせて前記バックキャビネット３の後方側よりねじ７を締結する構造とするのがより好ましい。
【００２７】
以上述べたように、本発明では、シャーシに全ての内部構成部品を取り付けることで、組み立て作業及びメンテナンス作業を簡略化出来る表示装置を提供することが出来る。又、筐体に内部構成部品を取り付けるリブを形成しないため、筐体を成形する金型を簡略化出来、且つ筐体表面に発生するヒケを低減出来る表示装置を提供することが出来る。更に、フロントキャビネットとバックキャビネットとを直接ねじによって固定する構造とすることによって、ねじの本数を削減することが出来る表示装置を提供することが出来る。
【図面の簡単な説明】
【００２８】
【図１】本発明の実施例における表示装置の外見形状を示す斜視図である。
【図２】本発明の実施例における表示装置の内部構成部品を示す分解斜視図である。
【図３】本発明の実施例におけるシャーシを基準として内部構成部品をユニット化した内部ユニットを示す斜視図である。
【図４】本発明の実施例における内部ユニットにフロントキャビネット及びバックキャビネットを取り付ける前の状態を示す分解斜視図である。
【図５】本発明の実施例における表示装置の部分断面斜視図及び側面側断面図である。
【符号の説明】
【００２９】
１  表示装置
２  フロントキャビネット
３  バックキャビネット
４  内部ユニット
７  ねじ
２１  開口窓
２２  操作ボタン
４１  シャーシ
４２  表示パネル
４３  電源基板
４４  ＡＶ基板
４５  ＭＰＥＧ基板
４６  スピーカ
４７  記録再生ユニット
４８  操作基板
４９  スタンド支持部
５０  スタンド
【図１】
2007163861.tif 000003
【図２】
2007163861.tif 000004
【図３】
2007163861.tif 000005
【図４】
2007163861.tif 000006
【図５】
2007163861.tif 000007